(57)【要約】【課題】ビキニタイプのような着心地を満たしながら、胸部下部から骨盤にかけてのウエストラインや肌などの気になる部分を覆いながらも、軽く、さらには着用時の体型を美しく見せることができるワンピース型の水着を提供する。【手段】Ａラインワンピースとショーツとからなる表地、左右一対のカップおよび裏地を有するワンピース型水着であって、該カップ４は表地に接合され、該表地は該カップの下部周縁に沿ったワイヤー５と、該ワイヤーの下方にある切り替え部６とを有しており、該裏地７０は伸縮性布帛からなり、該切り替え部６に接合されて少なくとも腹部を覆うワンピース型水着である。【選択図】図２
0003141915.tif 000002
【実用新案登録請求の範囲】
【請求項１】
Ａラインワンピースとショーツとからなる表地、左右一対のカップおよび裏地を有するワンピース型水着であって、該カップ４は表地に接合され、該表地は該カップの下部周縁に沿ったワイヤー５と、該ワイヤーの下方にある切り替え部６とを有しており、該裏地７０は伸縮性布帛からなり、該切り替え部６に接合されて少なくとも腹部を覆うワンピース型水着。
【請求項２】
前記裏地７０が、背面にも接合されている請求項１記載のワンピース型水着。
【請求項３】
前記裏地７０が、切り替え部６とショーツ３とに接合されている請求項１または２記載のワンピース型水着。
【請求項４】
前記裏地７０が、メッシュ素材である請求項１、２または３記載のワンピース型水着。
【請求項５】
前記裏地７０が、パワーネットである請求項４記載のワンピース型水着。
【請求項６】
前記ショーツ３が、伸縮性布帛からなる裏地を有する請求項１、２、３、４または５記載のワンピース型水着。
【請求項７】
前記切り替え部６が、前面から背面にかけて一周するように配されている請求項１、２、３、４、５または６記載のワンピース型水着。
【請求項８】
前記接合が、縫着によるものである請求項１、２、３、４、５、６または７記載のワンピース型水着。
【考案の詳細な説明】
【技術分野】
【０００１】
本考案は、Ａラインワンピースとショーツとからなる水着に関し、詳細には、バストの形を整えるワイヤーと腹部を覆う裏地とを有するワンピース型水着に関する。
【背景技術】
【０００２】
従来、着用時に美しい体型を保つために、裏地にネット構造の伸縮性編地を使用した水着が知られている（たとえば、特許文献１）。
【０００３】
また、ウエストラインなどの気になる部分を覆うため、表地をＡラインのワンピース型にした水着もある。通常、ショーツは前記ワンピースとは別体であり、そのワンピース部分が水中などで浮き上がってしまうと、ウエストラインが見えてしまい、本来の目的を達成できない場合がある。そのため、特許文献２では、スカートのめくれを解消するために、スカート部分が複数の垂れから成る暖簾状に構成した水着が開示されている。また、一方では、ビキニタイプの水着に対する欲求も高いが、気になる部分を覆いながら、ビキニタイプのような着心地を満足するものは知られていない。
【０００４】
また、従来、Ａラインのワンピース型水着には、ビキニタイプのようにカップの下部周縁部にワイヤーが設けられておらず、バストの形が安定しないものであった。そのため、ワンピース型水着の内側に、更に一枚ビキニタイプの水着を着用するなどしていたが、重ね着のためゴワつきや圧迫感などがあり、着用時に違和感を抱くばかりか、水中では重く、動きが制限されてしまっていた。また、スッキリとした印象を与えにくいという課題もある。
【０００５】
【特許文献１】実開平７−３１８１４公報
【特許文献２】実用新案登録第３１１７７８３号公報
【考案の開示】
【考案が解決しようとする課題】
【０００６】
本考案は、このような現状に鑑みてなされたものであり、ビキニタイプのような着心地を満たしながら、胸部下部から骨盤にかけてのウエストラインや肌などの気になる部分を覆いながらも、軽く、さらには着用時の体型を美しく見せることができるワンピース型の水着を提供することを目的とする。
【課題を解決するための手段】
【０００７】
すなわち、本考案は、Ａラインワンピースとショーツとからなる表地、左右一対のカップおよび裏地を有するワンピース型水着であって、該カップ４は表地に接合され、該表地は該カップの下部周縁に沿ったワイヤー５と、該ワイヤーの下方にある切り替え部６とを有しており、該裏地７０は伸縮性布帛からなり、該切り替え部６に接合されて少なくとも腹部を覆うワンピース型水着に関する。
【０００８】
前記裏地７０が、背面にも接合されていることが好ましい。
【０００９】
前記裏地７０が、切り替え部６とショーツ３とに接合されていることが好ましい。
【００１０】
前記裏地７０が、メッシュ素材であることが好ましい。
【００１１】
前記裏地７０が、パワーネットであることが好ましい。
【００１２】
前記ショーツ３が、伸縮性布帛からなる裏地を有することが好ましい。
【００１３】
前記切り替え部６が、前面から背面にかけて一周するように配されていることが好ましい。
【００１４】
前記接合が、縫着によるものであることが好ましい。
【考案の効果】
【００１５】
本考案によれば、カップ下部周縁にワイヤーを有しているので、一枚の水着でバストの形を安定させることができ、さらに、少なくとも腹部には伸縮性布帛からなる裏地を配しているので、胸部下部から骨盤にかけての気になるウエストラインを美しく保ちながら、ビキニタイプの水着のような着心地を満足することができる。さらに、ビキニタイプの水着のような着心地を満足しつつも、少なくとも腹部が裏地で覆われているため、スカート部分が浮き上がっても素肌が見えることはない。そのため、素肌が見えることが気がかりな中高年層の抵抗感を低減することができ、幅広い年代層の方にも着用してもらうことができる。
【００１６】
また、直射日光を受ける部分も低減することから、高い日焼け防止効果が期待できる。さらに、ウエスト部分が二重になっていることから、ウエストラインが透けて見えるという事態を抑制することも期待できる。
【考案を実施するための最良の形態】
【００１７】
本考案のワンピース水着を、図面を参照しながら説明する。図１は、本考案の水着１の一例を正面から見た場合の模式平面図である。図２は、本考案の水着のワンピース部分を除いた場合の模式平面図であり、裏地７０が、切り替え部６とショーツ３との両方に接合されている場合の例を示している。
【００１８】
本考案の水着１は、図１に示すように、表地からなるＡラインワンピース２およびショーツ３、左右一対のカップ部（図示せず）、そのカップ下部周縁に沿って設けられているワイヤー５、および、該ワイヤー５の下方にある胸部との切り替え部６からなっている。図示されていないが、前記切り替え部６は、前面から背面にかけて一周するように配されていてもよい。
【００１９】
前記ワイヤー５が配置されていることにより、バストの形状が安定あるいは固定され、バストアップの効果も期待できる。さらに、後述するように、カップ部にパッドを挿入した場合に、パッドのズレ防止効果も期待できる。
【００２０】
また、図２に示すように、水着の裏側は、切り替え部６に伸縮性布帛からなる裏地７０が接合され、少なくとも腹部を覆うことができる。すなわち、少なくとも腹部のみを覆うことができるような位置に裏地７０を接合すればよく、背面については限定されない。たとえば、切り替え部６が一周するように配されている場合、その切り替え部６に沿って一周するように、同じ伸縮性布帛を接合してもよいし、腹部と背面とで異なる伸縮性布帛を接合してもよいし、前面にのみ伸縮性布帛を接合し、背面にはその他の伸縮性ではない布帛を接合してもよい。また、切り替え部６が前面にのみ存在する場合は、前面は切り替え部６に接合し、背面は背面表地の上端部に接合すればよい。この場合の背面における裏地についても、とくに限定されず、伸縮性であっても非伸縮性であってもよい。
【００２１】
この裏地７０がお腹周りを引き締めることにより、ウエストラインを美しく保つことができる。さらに、スカート部分が浮き上がっても素肌が見えず、抵抗感を小さくしながら、ビキニタイプの水着のような着心地を満足することができる。また、腹部を直接覆う生地を裏地としたことで、表地を２重に使用する場合に比べて重量を軽減することができ、動きを妨げにくい。なお、裏地７０は、切り替え部６とショーツ３とに接合されていることが好ましい。
【００２２】
前記接合の方法としては、縫着、融着、ウェルダー加工または面ファスナーなど、とくに限定されない。なかでも、縫着であることが好ましい。
【００２３】
さらに、ワイヤー５から切り替え部６の間（いわゆる土台部分）やバック部分（図示せず）に裏地７１を設けてもよいし、ショーツ３に裏地を設けてもよい。これら裏地にも伸縮性布帛を用いると、着用部全体を引き締めることができるため好ましい。なお、カップ４には、パッドを挿入するための挿入口８を設けることができる。
【００２４】
前記伸縮性布帛としては、水はけやエアー抜け、および、軽量性の点で、メッシュ素材であることが好ましく、パワーネットであることがより好ましい。その材質としては、疎水性、速乾性または通水性を有するものであることが好ましく、とくに、耐塩素性および耐候性などの耐久性の観点から、ナイロン繊維、ポリエステル繊維またはそれらの混合であることが好ましい。また、この裏地は、表地と比較して伸縮性が大きいことが好ましい。
【００２５】
表地としては、通常、水着として使用される素材であればとくに限定されず、伸縮性の布帛を用いることができる。なかでも、ナイロン繊維やポリエステル繊維と、ポリウレタン繊維などの弾性糸または伸縮性糸とを交編したものを使用することができる。編組織としては、タテ編地またはヨコ編地のいずれであってもよい。具体的には、ナイロン繊維とポリウレタン繊維との交編ツーウェイトリコットなどがあげられる。
【００２６】
前記カップを構成する布帛は、織物、編物または不織布など、とくに限定されない。なかでも、適度な厚みと張りを有する点で、ポリエステル布帛のなかにクッション材を有したものであることが好ましい。クッション材としては、ウレタンフォームなどがあげられる。
【００２７】
前記ワイヤーの素材も、とくに限定されない。なかでも、保形性の点で、ステンレスなどの金属や形状記憶性のポリマーなどが好ましい。
【図面の簡単な説明】
【００２８】
【図１】本考案の水着１の一例を正面から見た場合の模式平面図である。
【図２】本考案の水着のワンピース部分を除いた場合の模式平面図である。
【００２９】
１      ワンピース水着
２      Ａラインワンピース
３      ショーツ
４      カップ
５      ワイヤー
６      切り替え部
７０、７１      裏地
８      パッド挿入口
【図１】
0003141915.tif 000003
【図２】
0003141915.tif 000004